【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
被写体を撮像し、撮像画像を出力する撮像手段と、
被写体輝度を取得する輝度取得手段と、
この輝度取得手段により取得された被写体輝度が所定値よりも低い場合、前記撮像手段に画素加算処理を行わせることにより該撮像画像の輝度を高くする第１の露出制御手段と、
前記輝度取得手段により取得された被写体輝度が所定値よりも高い場合、前記撮像手段に画素加算処理を行わせることなく、前記被写体輝度に応じて前記撮像手段のシャッタースピードを制御する第２の露出制御手段と、
を備えたことを特徴とするデジタルカメラ。
【請求項２】
前記第２の露出制御手段は、前記被写体輝度が所定値よりも高い場合、さらに、該被写体輝度に応じて前記撮像手段の絞り値と増幅率のうちいずれか一方を制御することを特徴とする請求項１記載のデジタルカメラ。
【請求項３】
前記第１の露出制御手段は、
前記被写体輝度が第１の所定値よりも低い場合、前記撮像手段に第１の画素加算モードによる画素加算処理を行わせることにより前記撮像画像の輝度を高くする手段と、
前記被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする手段と
を含むことを特徴とする請求項１又は２記載のデジタルカメラ。
【請求項４】
撮影モードとして通常モードとブレ軽減モードのうちいずれかの撮影モードを選択するモード選択手段と、
この撮影モード選択手段により通常モードが選択されている場合に、前記撮像手段に画素加算処理を行わせることなく、前記輝度取得手段により取得された被写体輝度に応じて前記撮像手段のシャッタースピードを制御する第３の露出制御手段とを備え、
前記第１の露出制御手段は、
前記撮影モード選択手段によりブレ軽減モードが選択されており、且つ前記輝度取得手段により取得された被写体輝度が所定値よりも低い場合に、前記撮像手段に画素加算処理を行わせることにより該撮像画像の輝度を高くするとともに、被写体輝度に応じて前記撮像手段のシャッタースピードを制御し、
前記第２の露出制御手段は、
前記撮影モード選択手段によりブレ軽減モードが選択されており、且つ前記輝度取得手段により取得された被写体輝度が所定値よりも高い場合に、前記撮像手段に画素加算処理を行わせることなく、前記被写体輝度に応じて前記撮像手段のシャッタースピードを制御し、
前記第３の露出制御手段によるシャッタースピードの低速側の目標とする制御限度が、前記第１の露出制御手段によるシャッタースピードの低速側の目標とする制御限度よりも高速に設定されていることを特徴とする請求項１乃至３の何れか記載のデジタルカメラ。
【請求項５】
前記撮像手段は、撮像素子と、該撮像素子から出力された撮像画像を処理する画像処理部とを含み、
前記第１の露出制御手段は、前記撮像素子を画素加算駆動することにより前記撮像画像の輝度を高くすることを特徴とする請求項１乃至４の何れか記載のデジタルカメラ。
【請求項６】
前記第１の露出制御手段により前記撮像手段において画素加算処理が実行された時に前記撮像手段から出力された撮像画像を拡大処理する画像拡大手段と、
前記第１の露出制御手段が撮像手段に第1の画素加算モードによる画素加算処理を行わせる場合と第２の画素加算モードによる画素加算処理を行わせる場合とで、前記画像拡大手段が拡大処理を行う際の拡大率を変更する拡大率変更手段と、
を備えたことを特徴とする請求項３記載のデジタルカメラ。
【請求項７】
前記輝度取得手段により取得された被写体輝度が所定値よりも低い場合、前記第１の露出制御手段により前記撮像手段において画素加算処理が実行された時に前記撮像手段から出力された撮像画像を拡大処理する画像拡大手段を備えたことを特徴とする請求項１乃至５の何れか記載のデジタルカメラ。
【請求項８】
前記撮像手段を複数フィールドで駆動する駆動手段を備え、
前記第１の露出制御手段は、前記駆動手段により駆動される各フィールドにおいて、互いに隣接する同一色の複数の画素の画素信号を加算する画素加算モードによる画素加算処理を行わせることを特徴とする請求項１乃至７の何れか記載のデジタルカメラ。
【請求項９】
前記第１の露出制御手段は、
前記撮像手段に、互いに隣接する同一色の複数の画素の画素信号を加算する画素加算処理を行わせる手段を含み、
前記第１の露出制御手段による画素加算処理に伴い変化する、撮像画像を構成する各画素の画素空間における配置に基づいて、色補間処理により画素毎に補間される色成分の位相を調整する位相調整手段を備えたことを特徴とする請求項１乃至７の何れか記載のデジタルカメラ。
【請求項１０】
被写体を撮像し、撮像画像を出力する撮像手段と、
被写体輝度を取得する輝度取得手段と、
この輝度取得手段により取得された被写体輝度が第１の所定値よりも低い場合、前記撮像手段に第１の画素加算モードによる画素加算処理を行わせることにより前記撮像画像の輝度を高くする第１の露出制御手段と、
前記輝度取得手段により取得された被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする第２の露出制御手段と
を備えたことを特徴とするデジタルカメラ。
【請求項１１】
被写体を撮像し、撮像画像を出力する撮像手段を備えたデジタルカメラの露出制御方法において、
被写体輝度を取得する輝度取得工程と、
この輝度取得工程により取得された被写体輝度が所定値よりも低い場合、前記撮像手段に画素加算処理を行わせることにより該撮像画像の輝度を高くする第１の露出制御工程と、
前記輝度取得工程により取得された被写体輝度が所定値よりも高い場合、前記撮像手段に画素加算処理を行わせることなく、前記被写体輝度に応じて前記撮像手段のシャッタースピードを制御する第２の露出制御工程と、
を含むことを特徴とする露出制御方法。
【請求項１２】
被写体を撮像し、撮像画像を出力する撮像手段を備えたデジタルカメラの露出制御方法において、
被写体輝度を取得する輝度取得工程と、
この輝度取得工程により取得された被写体輝度が第１の所定値よりも低い場合、前記撮像手段に第１の画素加算モードによる画素加算処理を行わせることにより前記撮像画像の輝度を高くする第１の露出制御工程と、
前記輝度取得工程により取得された被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする第２の露出制御工程と、
を含むことを特徴とする露出制御方法。
【請求項１３】
被写体を撮像し、撮像画像を出力する撮像手段を備えたデジタルカメラが有するコンピュータに、
被写体輝度を取得する輝度取得処理と、
この輝度取得処理により取得された被写体輝度が所定値よりも低い場合、前記撮像手段に画素加算処理を行わせることにより該撮像画像の輝度を高くする第１の露出制御処理と、
前記輝度取得処理により取得された被写体輝度が所定値よりも高い場合、前記撮像手段に画素加算処理を行わせることなく、前記被写体輝度に応じて前記撮像手段のシャッタースピードを制御する第２の露出制御処理と、
を実行させるためのプログラム。
【請求項１４】
被写体を撮像し、撮像画像を出力する撮像手段を備えたデジタルカメラが有するコンピュータに、
被写体輝度を取得する輝度取得処理と、
この輝度取得処理により取得された被写体輝度が第１の所定値よりも低い場合、前記撮像手段に第１の画素加算モードによる画素加算処理を行わせることにより前記撮像画像の輝度を高くする第１の露出制御処理と、
前記輝度取得処理により取得された被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする第２の露出制御処理と、
を実行させるためのプログラム。
【手続補正２】
【補正対象書類名】明細書
【補正対象項目名】０００６
【補正方法】変更
【補正の内容】
【０００６】
前記課題を解決するため請求項１の発明にあっては、被写体を撮像し、撮像画像を出力する撮像手段と、被写体輝度を取得する輝度取得手段と、この輝度取得手段により取得された被写体輝度が所定値よりも低い場合、前記撮像手段に画素加算処理を行わせることにより該撮像画像の輝度を高くする第１の露出制御手段と、前記輝度取得手段により取得された被写体輝度が所定値よりも高い場合、前記撮像手段に画素加算処理を行わせることなく、前記被写体輝度に応じて前記撮像手段のシャッタースピードを制御する第２の露出制御手段とを備えたことを特徴とする。
【手続補正３】
【補正対象書類名】明細書
【補正対象項目名】０００７
【補正方法】変更
【補正の内容】
【０００７】
また、請求項２の発明にあっては、前記第２の露出制御手段は、前記被写体輝度が所定値よりも高い場合、さらに、該被写体輝度に応じて前記撮像手段の絞り値と増幅率のうちいずれか一方を制御することを特徴とする。
また、請求項３の発明にあっては、前記第１の露出制御手段は、前記被写体輝度が第１の所定値よりも低い場合、前記撮像手段に第１の画素加算モードによる画素加算処理を行わせることにより前記撮像画像の輝度を高くする手段と、前記被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする手段とを含むことを特徴とする。
【手続補正４】
【補正対象書類名】明細書
【補正対象項目名】０００８
【補正方法】変更
【補正の内容】
【０００８】
また、請求項４の発明にあっては、撮影モードとして通常モードとブレ軽減モードのうちいずれかの撮影モードを選択するモード選択手段と、この撮影モード選択手段により通常モードが選択されている場合に、前記撮像手段に画素加算処理を行わせることなく、前記輝度取得手段により取得された被写体輝度に応じて前記撮像手段のシャッタースピードを制御する第３の露出制御手段とを備え、 前記第１の露出制御手段は、前記撮影モード選択手段によりブレ軽減モードが選択されており、且つ前記輝度取得手段により取得された被写体輝度が所定値よりも低い場合に、前記撮像手段に画素加算処理を行わせることにより該撮像画像の輝度を高くするとともに、被写体輝度に応じて前記撮像手段のシャッタースピードを制御し、前記第２の露出制御手段は、前記撮影モード選択手段によりブレ軽減モードが選択されており、且つ前記輝度取得手段により取得された被写体輝度が所定値よりも高い場合に、前記撮像手段に画素加算処理を行わせることなく、前記被写体輝度に応じて前記撮像手段のシャッタースピードを制御し、前記第３の露出制御手段によるシャッタースピードの低速側の目標とする制御限度が、前記第１の露出制御手段によるシャッタースピードの低速側の目標とする制御限度よりも高速に設定されていることを特徴とする。
【手続補正５】
【補正対象書類名】明細書
【補正対象項目名】０００９
【補正方法】変更
【補正の内容】
【０００９】
また、請求項５の発明にあっては、前記撮像手段は、撮像素子と、該撮像素子から出力された撮像画像を処理する画像処理部とを含み、前記第１の露出制御手段は、前記撮像素子を画素加算駆動することにより前記撮像画像の輝度を高くすることを特徴とする。
また、請求項６の発明にあっては、前記第１の露出制御手段により前記撮像手段において画素加算処理が実行された時に前記撮像手段から出力された撮像画像を拡大処理する画像拡大手段と、前記第１の露出制御手段が撮像手段に第1の画素加算モードによる画素加算処理を行わせる場合と第２の画素加算モードによる画素加算処理を行わせる場合とで、前記画像拡大手段が拡大処理を行う際の拡大率を変更する拡大率変更手段とを備えたことを特徴とする。
【手続補正６】
【補正対象書類名】明細書
【補正対象項目名】００１０
【補正方法】変更
【補正の内容】
【００１０】
また、請求項７の発明にあっては、前記輝度取得手段により取得された被写体輝度が所定値よりも低い場合、前記第１の露出制御手段により前記撮像手段において画素加算処理が実行された時に前記撮像手段から出力された撮像画像を拡大処理する画像拡大手段を備えたことを特徴とする。
また、請求項８の発明にあっては、前記撮像手段を複数フィールドで駆動する駆動手段を備え、前記第１の露出制御手段は、前記駆動手段により駆動される各フィールドにおいて、互いに隣接する同一色の複数の画素の画素信号を加算する画素加算モードによる画素加算処理を行わせることを特徴とする。
【手続補正７】
【補正対象書類名】明細書
【補正対象項目名】００１１
【補正方法】変更
【補正の内容】
【００１１】
また、請求項９の発明にあっては、前記第１の露出制御手段は、前記撮像手段に、互いに隣接する同一色の複数の画素の画素信号を加算する画素加算処理を行わせる手段を含み、前記第１の露出制御手段による画素加算処理に伴い変化する、撮像画像を構成する各画素の画素空間における配置に基づいて、色補間処理により画素毎に補間される色成分の位相を調整する位相調整手段を備えたことを特徴とする。
【手続補正８】
【補正対象書類名】明細書
【補正対象項目名】００１２
【補正方法】変更
【補正の内容】
【００１２】
また、請求項１０の発明にあっては、被写体を撮像し、撮像画像を出力する撮像手段と、被写体輝度を取得する輝度取得手段と、この輝度取得手段により取得された被写体輝度が第１の所定値よりも低い場合、前記撮像手段に第１の画素加算モードによる画素加算処理を行わせることにより前記撮像画像の輝度を高くする第１の露出制御手段と、前記輝度取得手段により取得された被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする第２の露出制御手段とを備えたことを特徴とする。
【手続補正９】
【補正対象書類名】明細書
【補正対象項目名】００１３
【補正方法】変更
【補正の内容】
【００１３】
また、請求項１１の発明にあっては、被写体を撮像し、撮像画像を出力する撮像手段を備えたデジタルカメラの露出制御方法において、被写体輝度を取得する輝度取得工程と、この輝度取得工程により取得された被写体輝度が所定値よりも低い場合、前記撮像手段に画素加算処理を行わせることにより該撮像画像の輝度を高くする第１の露出制御工程と、前記輝度取得工程により取得された被写体輝度が所定値よりも高い場合、前記撮像手段に画素加算処理を行わせることなく、前記被写体輝度に応じて前記撮像手段のシャッタースピードを制御する第２の露出制御工程とを含むことを特徴とする。
【手続補正１０】
【補正対象書類名】明細書
【補正対象項目名】００１４
【補正方法】変更
【補正の内容】
【００１４】
また、請求項１２の発明にあっては、被写体を撮像し、撮像画像を出力する撮像手段を備えたデジタルカメラの露出制御方法において、被写体輝度を取得する輝度取得工程と、この輝度取得工程により取得された被写体輝度が第１の所定値よりも低い場合、前記撮像手段に第１の画素加算モードによる画素加算処理を行わせることにより前記撮像画像の輝度を高くする第１の露出制御工程と、前記輝度取得工程により取得された被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする第２の露出制御工程とを含むことを特徴とする。
【手続補正１１】
【補正対象書類名】明細書
【補正対象項目名】００１５
【補正方法】変更
【補正の内容】
【００１５】
また、請求項１３の発明にあっては、被写体を撮像し、撮像画像を出力する撮像手段を備えたデジタルカメラが有するコンピュータに、被写体輝度を取得する輝度取得処理と、この輝度取得処理により取得された被写体輝度が所定値よりも低い場合、前記撮像手段に画素加算処理を行わせることにより該撮像画像の輝度を高くする第１の露出制御処理と、前記輝度取得処理により取得された被写体輝度が所定値よりも高い場合、前記撮像手段に画素加算処理を行わせることなく、前記被写体輝度に応じて前記撮像手段のシャッタースピードを制御する第２の露出制御処理とを実行させるためのプログラムとした。
【手続補正１２】
【補正対象書類名】明細書
【補正対象項目名】００１６
【補正方法】変更
【補正の内容】
【００１６】
また、請求項１４の発明にあっては、被写体を撮像し、撮像画像を出力する撮像手段を備えたデジタルカメラが有するコンピュータに、被写体輝度を取得する輝度取得処理と、この輝度取得処理により取得された被写体輝度が第１の所定値よりも低い場合、前記撮像手段に第１の画素加算モードによる画素加算処理を行わせることにより前記撮像画像の輝度を高くする第１の露出制御処理と、前記輝度取得処理により取得された被写体輝度が第１の所定値よりも低い第２の所定値よりも低い場合、前記撮像手段に前記第１の画素加算モードよりも画素加算数が多い第２の画素加算モードによる画素加算処理を行わせることにより前記撮像画像の輝度を高くする第２の露出制御処理とを実行させるためのプログラムとした。
【手続補正１３】
【補正対象書類名】明細書
【補正対象項目名】００１７
【補正方法】削除
【補正の内容】